(57)【要約】【課題】移動局がビルなどの障害物により交信ができない、また、交信可能なエリアから外れてしまい基地局が位置情報を受信できないような状態が発生しても、常に所定のタイミングで位置情報をメモリに保存しておき、交信状況が良い時点でまとめて送信するか、あるいは業務終了後に保存した位置情報を読み出せる移動局の無線通信機を提供する。【解決手段】位置情報取得手段１と、位置情報取得手段１で得られた位置情報を保存する不揮発性メモリの記憶部３と、位置情報取得手段１で得られた位置情報を記憶部３へ書き込み、読み出しおよび消去の制御を行う制御部４と、制御部４により記憶部３から読み出された位置情報を、出力する出力手段２，１００とを有することを特徴とする。【選択図】図１
2006025253.tif 000002
【特許請求の範囲】
【請求項１】
無線通信システムにおける移動局の無線通信機であって、
位置情報取得手段と、
前記位置情報取得手段で得られた位置情報を保存する不揮発性メモリの記憶部と、
前記位置情報取得手段で得られた位置情報を前記記憶部へ書き込み、読み出しおよび消去の制御を行う制御部と、
前記制御部により前記記憶部から読み出された前記位置情報を、出力する出力手段と、
を有することを特徴とする移動局の無線通信機。
【請求項２】
前記制御部は、任意に設定可能なタイミングで前記位置情報を前記記憶部へ書き込み、任意に設定可能な保存時間を経過すると、前記書き込まれた位置情報を消去することを特徴とする請求項１に記載の移動局の無線通信機。
【請求項３】
前記出力手段は、前記制御部により、前記記憶部から読み出された前記位置情報を、前記無線通信システムの基地局へ送信する無線送信部、およびＰＣ端末へ直接送信する有線送信部であることを特徴とする請求項１または２に記載の移動局の無線通信機。
【請求項４】
前記記憶部の不揮発メモリは、携帯可能な可搬型カードメモリであることを特徴とする請求項１乃至３に記載の移動局の無線通信機。
【請求項５】
前記位置情報取得手段は、ＧＰＳであることを特徴とする請求項１乃至４に記載の移動局の無線通信機。
【発明の詳細な説明】
【技術分野】
【０００１】
本発明は、業務用の無線通信システムの無線通信機に係り、詳しくは、移動局側の無線通信機が、位置情報を所定の時間記憶し、基地局側の無線通信機の要求に応じて位置情報を送信する移動局の無線通信機に関する。
【背景技術】
【０００２】
従来の業務用無線通信システムにおいて、移動局の無線通信機は取得した位置情報を１件しか持つことができなかった。このため移動局の無線通信機は、書き込まれていたデータを消去しては、間歇して取得した新しい位置情報を書き込み、更新していた。移動局が基地局に定期的に位置情報を送る運用形態において、移動局が交信可能なエリアから外れてしまい、基地局が位置情報を受信できない状態が発生すると、この間の位置情報は基地局で記録できない、あるいは、あるまとまった時間連続して位置情報を保存し、送信状況の良い時点で送信したいが、連続して保存できない、という問題があった。位置情報の利用においては、特許文献１に記載の自車の車速および自車と送信相手車との距離に基づいてナビゲーション情報を送信する車載ナビゲーションシステムが知られている。
【特許文献１】特開平１０−６２１８４号公報
【発明の開示】
【発明が解決しようとする課題】
【０００３】
本発明は、このような問題を解決するためになされたものであり、移動局がビルなどの障害物により交信ができない、また、交信可能なエリアから外れてしまい基地局が位置情報を受信できないような状態が発生しても、常に所定のタイミングで位置情報をメモリに保存しておき、交信状況が良い時点でまとめて送信するか、あるいは業務終了後に保存した位置情報を読み出せる移動局の無線通信機を提供することを目的とする。
【課題を解決するための手段】
【０００４】
本発明の移動局の無線通信機は、無線通信システムにおける移動局の無線通信機であって、
位置情報取得手段と、
前記位置情報取得手段で得られた位置情報を保存する不揮発性メモリの記憶部と、
前記位置情報取得手段で得られた位置情報を前記記憶部へ書き込み、読み出しおよび消去の制御を行う制御部と、
前記制御部により前記記憶部から読み出された前記位置情報を、出力する出力手段と、
を有することを特徴とする。
【０００５】
前記移動局の無線通信機の前記制御部は、任意に設定可能なタイミングで前記位置情報を前記記憶部へ書き込み、任意に設定可能な保存時間を経過すると、前記書き込まれた位置情報を消去することを特徴とする。
【０００６】
前記移動局の無線通信機の前記出力手段は、前記制御部により、前記記憶部から読み出された前記位置情報を、前記無線通信システムの基地局へ送信する無線送信部、およびＰＣ端末へ直接送信する有線送信部であることを特徴とする。
【０００７】
前記移動局の無線通信機の前記記憶部の不揮発メモリは、携帯可能な可搬型カードメモリであることを特徴とする。
【０００８】
前記移動局の無線通信機の前記位置情報取得手段は、ＧＰＳであることを特徴とする。
【発明の効果】
【０００９】
本発明の移動局の無線通信機によれば、移動局の無線通信機がビルなどの障害物も含め、交信可能なエリアから外れてしまい、基地局が位置情報を受信できない状態が発生しても、常に所定のタイミングで位置情報をメモリに保存しておき、まとめて送信するか、あるいは業務終了後に位置情報を読み出して確認できる移動局の無線通信機を提供することができる。
【発明を実施するための最良の形態】
【００１０】
本発明による、無線通信システムの実施の形態について、図を用いて説明する。図１は、本発明による移動局の無線通信機の構成を示す回路ブロック図である。移動局の無線通信機は、ＧＰＳ受信部１、有線送信部２、記憶部３、制御部４、無線送信部１００、無線受信部２００、スイッチ８、アンテナ９、マイク１３、マイクアンプ１４、プリエンファシス回路１５、スピーカ１６、音声電力増幅器１７、およびデエンファシス回路１８から構成されている。無線送信部１００は、ＭＳＫエンコーダー５、変調器６および送信回路７から構成されている。無線受信部２００は、ＭＳＫデコーダー１０、復調器１および受信回路１２から構成されている。
【００１１】
ＧＰＳ受信部１は、位置情報取得手段であり、ＧＰＳ衛星から受信した位置特定のためのデータに基づき位置情報を確定する。有線送信部２は、ＲＳ−２３２Ｃ方式などによりケーブル接続で直接ＰＣ端末へ位置情報を出力するための出力部である。記憶部３は、ＧＰＳ受信部１で確定された位置情報を保存する不揮発性メモリからなり、携帯可能な可搬型カードメモリであってもよい。制御部４は、設定された時間間隔で位置情報を記憶部３へ書き込み、要求に応じて読み出し、一定の時間が経過すると書き込んだ位置情報を消去し、かつ通信に必要な各プロセスを制御する。無線送信部１００は、送信データをＭＳＫによる送信データ信号に変換するＭＳＫエンコーダー５、変換された送信データ信号または音声信号をＦＳＫ（周波数シフトキーイング）変調する変調器６および送信電力増幅を行う送信回路７から構成され、各信号を搬送波に乗せて送信する。
【００１２】
無線受信部２００は、受信した電波を増幅する受信回路１２とＦＳＫ変調を復調する復調器１１とＭＳＫで変換された受信信号をもとのデータに復元するＭＳＫデコーダーとから構成されて、受信電波を元のデータまたは音声にもどす。スイッチ１８は、当該無線通信機にセットされているプレストーク（ＰＴＴ）スイッチと連動してアンテナ９を切り替え、送信または受信状態を設定する。マイク１３は、入力された音声を音声信号に変換する。マイクアンプ１４は、音声信号を増幅する。プリエンファシス回路１５は、Ｓ／Ｎの改善のため増幅された音声信号の高域を＋６ｄＢ／ｏｃｔにて強調する。デエンファシス回路１８は、強調された音声信号の高域を元にもどす。音声電力増幅器１７は、スピーカ１６を駆動するため音声信号の電力増幅を行う。
【００１３】
次に本発明による移動局の無線通信機の各ブロックの動作について詳細に説明する。図１において制御部４は、当該無線通信機にセットされている任意に設定可能なタイミングで、ＧＰＳ受信部１において確定された位置情報を取り出しては、記憶部３へ書き込んでいる。また、同様に任意に設定可能な保存時間を経過すると、この書き込まれた位置情報を消去することで限られたメモリ容量を有効に活用している。
【００１４】
基地局の無線通信機から位置情報の送信要求が送信される。送信要求信号は、アンテナ９およびスイッチ８を経由して無線受信部２００へ入力される。無線受信部２００の受信回路１２は、送信要求信号を増幅し、復調器１１でＦＳＫ変調が復調される。この復調された送信要求信号は、ＭＳＫデコーダー１０で元の送信要求データに復元され、制御部４へ入力される。制御部４は、送信要求データの示す要求時間に応じて記憶部３から指定された位置情報を読み出し、無線送信部１００へ送る。
【００１５】
無線送信部１００のＭＳＫエンコーダー５は、この位置情報データに対してＭＳＫによるコード変換を行い、位置情報信号を生成する。さらにこの位置情報信号は、変調器６でＦＳＫ変調され送信回路７で高周波電力増幅される。制御部４は、送信要求データで示された要求時間でスイッチ８を送信状態にセットし、高周波電力増幅された位置情報信号をアンテナ９から基地局へ送信する。
【００１６】
基地局ではこれらの位置情報を基に必要な判断をして、その結果のメッセージを音声により移動局へ送信する。送信された音声信号は、送信要求信号の場合と同じプロセスを経て復調器１１で復調され、デエンファシス回路１８へ入力される。入力された音声信号の高域での強調分＋６ｄＢ／ｏｃｔは元に戻され、音声電力増幅器１７で電力増幅されてスピーカ１６を駆動する。
【００１７】
移動局では、このメッセージに対して音声で応答する。応答の音声はマイク１３で音声信号に変換され、プリエンファシス回路１５でＳ／Ｎ改善のため高域が強調される。その後、変調器６へ入力され、位置情報信号と同様のプロセスで送信されるが、この場合のスイッチ８は、オペレータが操作するＰＴＴスイッチに連動して送信状態となる。また位置情報は、基地局からの位置情報の送信要求による送信以外に、有線送信部２からＲＳ−２３２Ｃケーブル等により直接ＰＣ端末へ出力できる。ケーブル接続されたＰＣ端末から制御部４へ位置情報の送信要求コマンドを送ると、制御部４はこのコマンドに従い、記憶部３から指定された位置情報を読み出し、ＰＣ端末へ送信する。記憶部３の不揮発メモリが可搬型のカードメモリであれば、ケーブル接続をしないで、このカードをＰＣ端末へ挿入することにより位置情報を取り出すことができる。
【００１８】
図１に示される回路構成は、当該機能を実現する手段であれば、どのような回路または装置であっても良く、また機能の一部をソフトウエアで実現することも可能である。また機能の実現手段を、複数の回路によって実現しても良く、複数の機能を単一の回路で実現しても良い。
【００１９】
図２は、基地局のＰＣ端末が、基地局の無線通信機を介して、本発明の移動局の無線通信機から位置情報を取り出す処理のシーケンスを示すシーケンスフロー図である。基地局のＰＣ端末と無線通信機は、ＲＳ−２３２Ｃケーブルで接続されている。基地局と移動局の無線通信機は、ＭＳＫ（ミニマム・シフト・キーイング）方式によりデータを変換して交信する。例えば物流システムにおいて、配送ルートと所要時間を基地局側で管理し、渋滞情報等を併用して、最も効率の良い配送ルートを配送車に指定することを想定する。そのため、荷物を配送先へ持ち運ぶため配送車を停止させている間に、移動局の無線通信機に一定時間ごとに書き込まれている位置情報を、基地局側へ送信させる。
【００２０】
図２のシーケンス１において、ＰＣ端末は、移動局の無線通信機に対してＧＰＳのデータを送信するよう、基地局の無線通信機に送信要求のコマンドを送る。シーケンス２において、基地局の無線機はこの要求を受信し、ＭＳＫによる送信要求信号に変換する。シーケンス３において、基地局の無線通信機はこの送信要求信号を移動局の無線通信機へ送信する。シーケンス４において、移動局の無線通信機は、送信要求信号を受信して送信要求のコマンドに復元する。シーケンス５において、送信要求のコマンドにもとづいてＧＰＳデータを読み出し、ＭＳＫによるＧＰＳデータ信号に変換する。シーケンス６において、ＧＰＳデータ信号を基地局の無線通信機へ送信する。シーケンス７において、基地局の無線通信機は、ＧＰＳデータ信号を受信しＧＰＳデータに復元する。シーケンス８において、基地局の無線通信機は、ＧＰＳデータをＰＣ端末へ送信する。ＰＣ端末は、ＧＰＳデータを受信し、所定の処理を行い、渋滞情報と合わせて配送ルートを決定し、音声により指示する。
【００２１】
以上説明したように、本発明の移動局の無線通信機によれば、基地局において、複数の配送車から位置情報を収集することができるため、渋滞情報と合わせてそれぞれの配送車に、効率の良い配送ルートを指定することが可能となる。配送車は、荷物を配送先へ持ち運ぶため配送車を停止させている間に、基地局へ位置情報をまとめて送信するため、通信障害が少なく確実な通信が可能となる。また配送車から、適宜音声によるルートの確認が発生すれば、収集データを基に的確な回答を即座に送信することが可能となる。
【産業上の利用可能性】
【００２２】
本発明は、物流システムの移動局無線機以外に、タクシーのタコメータと併用することで、業務終了後に走行記録と位置情報を同時に記録・管理することができる。また盗難車両が発見された後、発見されるまでの走行ルートを調べ、盗難の検証手段に適用することが可能である。
【図面の簡単な説明】
【００２３】
【図１】本発明による移動局の無線通信機の構成を示す回路ブロック図。
【図２】本発明の移動局の無線通信機から位置情報を取り出す処理のシーケンスを示すシーケンスフロー図。
【符号の説明】
【００２４】
１    ＧＰＳ受信部
２    有線送信部
３    記憶部
４    制御部
５    ＭＳＫエンコーダー
６    変調器
７    送信回路
８    スイッチ  （Ｓ１）
９    アンテナ
１０    ＭＳＫデコーダー
１１    復調器
１２    受信回路
１３    マイク
１４    マイクアンプ
１５    プリエンファシス回路
１６    スピーカ
１７    音声電力増幅器
１８    デエンファシス回路
１００    無線送信部
２００    無線受信部
【図１】
2006025253.tif 000003
【図２】
2006025253.tif 000004